(57)【特許請求の範囲】
【請求項１】
複数の刃体を備えた刃ブロックが本体に対して傾斜し、刃ブロックが本体に対して着脱自在になされ、刃ブロックの傾斜方向とは反対側にトリマ刃を設けた往復式電気かみそりであって、上記傾斜方向に並設された刃体の内刃駆動桿が本体と刃ブロックとの間に配設する防水板を貫通し、防水板の板面が刃ブロックセンター線とモータセンター線との各々の垂直線の中間に位置するように防水板が本体に対して傾斜して本体に取付けられ、防水板は本体側の外刃フレーム固定部材よりも内方に配設され、防水板は外刃フレーム固定部材の外刃フレームに対する係合面に対して傾斜し、防水板が傾斜することにより生じる外
刃フレーム固定部材の内部スペースにトリマ駆動桿を収めて成ることを特徴とする往復式電気かみそり。
【請求項２】
刃ブロックの外刃フレームにおける本体に対する係合端部の形状は、刃体の往復運動方向及び刃体の並列方向において同一形状として成ることを特徴とする請求項１記載の往復式電気かみそり。
【請求項３】
平面状の防水板の本体への固定によって外刃フレーム固定部材を本体に固定して成ることを特徴とする請求項１又は２記載の往復式電気かみそり。
【請求項４】
外刃フレーム固定部材にトリマ駆動桿をカバーする保護カバー部を設けて成ることを特徴とする請求項１記載の往復式電気かみそり。
【請求項５】
外刃フレーム固定部材に外刃フレームの着脱用の操作釦を覆う釦保護カバーを設けて成ることを特徴とする請求項１記載の往復式電気かみそり。
【請求項６】
外刃フレーム固定部材にトリマ駆動桿の連絡通路より髭くずが漏れ出すのを防止する駆動桿カバーを設けて成ることを特徴とする請求項１又は４記載の往復式電気かみそり。
【請求項７】
外刃フレーム固定部材の周縁部の高さにおいて、一部の高さを防水板の高さに略等しく、他の部分の高さを防水板の高さよりも高くして成ることを特徴とする請求項１記載の往復式電気かみそり。
【請求項８】
防水板よりも高くした外刃フレーム固定部材の部分に髭くず排出孔を形成して成ることを特徴とする請求項７記載の往復式電気かみそり。
【発明の詳細な説明】
【０００１】
【発明の属する技術分野】
本発明は、往復式電気かみそりに関し、詳しくは、本体に対して傾斜している刃ブロックにおける刃体の駆動を安定化させようとする技術に係るものである。
【０００２】
【従来の技術】
従来、本体Ａに対して刃ブロックＢが傾斜している電気かみそりにおいて、図１２に示すように、本体Ａと刃ブロックＢとの間に配設する防水板１は、本体センター線ａに対して垂直に設置しているもの、又、図１４及び図１８に示すように、防水板１が刃ブロックセンター線ｂに対して垂直に設置しているものがある。
刃ブロックセンター線の両側に並列に立設される二つの内刃駆動桿２、３の長さは、本体側のモータの出力軸に連結されて内刃駆動桿２、３を駆動する二つの駆動点を同じ高さにしているとき、傾斜方向とは反対側に設けたトリマ刃側の内刃駆動桿３に比べて傾斜方向側に並設された内刃駆動桿２の長さが短くなり、二つの内刃の駆動振幅等にアンバランスが生じやすくなるものである。
【０００３】
【発明が解決しようとする課題】
ところで、図１２に示すように、防水板１が本体センター線ａに対して垂直に設置されている構成においては、刃ブロックセンター線ｂの両側に並列に立設される二つの内刃駆動桿２、３は、防水板１に対して傾斜することになり、本体Ａに対して刃ブロックＢを大きく傾斜させる場合には、一層、内刃駆動桿２、３が防水板１に対して傾斜することになる。往復駆動される内刃駆動桿２、３と防水板１との干渉を防止するために、内刃駆動桿２に切欠きを形成するのであり、二つの内刃の駆動振幅等に生じるアンバランスが助長されるという問題がある。
【０００４】
又、図１８に示すように、防水板１が刃ブロックセンター線ｂに対して垂直に設置している構成において、防水板１の下部においてトリマ刃１１に対する駆動伝達系を構成する場合には、防水板１の下部においても別の防水構造１Ａを設ける必要がある。
【０００５】
尚、図１４に示すように、防水板１が刃ブロックセンター線ｂに対して垂直に設置している構成においては、図示するように、駆動子６、７を防水板１よりも下方でモータ２６側に大きく屈曲させることから、駆動子６、７の構成が複雑になるものである。
【０００６】
尚、図１６に示すように、本体Ａの正面のスイッチ１０の上部に使用時に親指を置く指置きニを形成する場合に、指置きニの形状を親指のラウンド（丸み）形状にすると、内刃駆動桿２をモータセンター線ｃより傾斜側に大きくずらす必要があり、刃体（内刃）１８の駆動点４６とモータ２６による駆動子６の駆動点４８の間で回転力が発生して内刃駆動性能を低下させたり、振動が大きくなるという問題がある。
【０００７】
尚、本体ケース２５に挿入された基台１２に上蓋１３または下蓋１４を固定することにより防水をおこなうものにおいては、図１９及び図２０に示すように、防水板１の固定と上蓋１３または下蓋１４の固定を別手段にておこなうか、図２１に示すように、防水板１を段付き形状として防水をおこなうことになり、防水板１の形状が複雑になるものである。
【０００８】
本発明はこのような問題に鑑みてなされたものであり、駆動伝動のアンバランスを軽減し、駆動構成を簡素化し、かつ、使いやすく、防水構造を簡素化できる往復式電気かみそりを提供することを課題とするものである。
【０００９】
【課題を解決するための手段】
請求項１においては、複数の刃体１８、１８を備えた刃ブロックＢが本体Ａに対して傾斜し、刃ブロックＢが本体Ａに対して着脱自在になされ、刃ブロックＢの傾斜方向とは反対側にトリマ刃１１を設けた往復式電気かみそりであって、上記傾斜方向に並設された刃体１８、１８の内刃駆動桿２、３が本体Ａと刃ブロックＢとの間に配設する防水板１を貫通し、防水板１の板面が刃ブロックセンター線ｂとモータセンター線ｃとの各々の垂直線ｄ、ｆの中間に位置するように防水板１が本体Ａに対して傾斜して本体Ａに取付けられ、防水板１は本体Ａ側の外刃フレーム固定部材１７よりも内方に配設され、防水板１は外刃フレーム固定部材１７の外刃フレーム１６に対する係合面１７Ｓに対して傾斜し、防水板１が傾斜することにより生じる外刃フレーム固定部材１７の内部スペースにトリマ駆動桿１５を収めていることを特徴とするものである。
【００１０】
このような構成によれば、刃ブロックＢを本体Ａに対して傾斜させても防水板１も刃ブロックＢが傾斜する方向に傾斜していることから、防水板１を本体センター線ａに垂直にする場合に比べて内刃駆動桿２と防水板１との交叉角度を緩やかにでき、防水板１との干渉を回避するために内刃駆動桿２を切欠くことを低減でき、刃ブロックセンター線ｂの両側に並列に立設される二つの内刃駆動桿２、３による両刃体１８、１８の駆動に大きなアンバランスが生じるのを低減でき、又、刃ブロックセンター線ｂとモータセンター線ａとの各々の垂直線ｄ、ｆの中間に位置するように傾斜している防水板１は外刃フレーム固定部材１７よりも内方に配設され、防水板１は外刃フレーム固定部材１７の外刃フレーム１６に対する係合面１７Ｓに対して傾斜し、防水板１が傾斜することにより生じる外刃フレーム固定部材１７の内部スペースにトリマ駆動桿１５を収めているから、防水板１を傾斜させることにより外刃フレーム固定部材１７の内部スペースを有効に利用してトリマ駆動桿１５を収めることができ、防水板１の上方にトリマ駆動桿１５を位置させることで防水構造を簡素化でき、しかも、外刃フレーム１６を本体Ａに対して低い位置に取付けることができ、コンパクト化を図ることができる。
【００１１】
請求項２においては、刃ブロックＢの外刃フレーム１６における本体Ａに対する係合端部の形状は、刃体１８の往復運動方向及び刃体１８、１８の並列方向において同一形状としていることを特徴とするものである。このような構成によれば、外刃フレーム１６の本体Ａに対する向きをなくすことができ、使用者は外刃フレーム１６の向きを気にすることがなく、使いやすい。
請求項３においては、平面状の防水板１の本体Ａへの固定によって外刃フレーム固定部材１７を本体Ａに固定していることを特徴とするものである。このような構成によれば、防水板１の固定によって外刃フレーム固定部材１７の固定ができながら、髭くずが上に溜まる防水板１を単純形状にできて洗浄が容易になる。
【００１２】
請求項４においては、外刃フレーム固定部材１７にトリマ駆動桿１５をカバーする保護カバー部５９を設けていることを特徴とするものである。このような構成によれば、使用時にトリマ駆動桿１５に誤って触れるのを防止することができ、安全性を高めることができる。
【００１３】
請求項５においては、外刃フレーム固定部材１７に外刃フレーム１６の着脱用の操作釦４０を覆う釦保護カバー６１を設けていることを特徴とするものである。このような構成によれば、上蓋１３に設けた操作釦４０を外刃フレーム固定部材１７に設けた釦保護カバー６１によって覆うことができ、操作釦取付部４４への髭くずの侵入を防止することができる。
【００１４】
請求項６においては、外刃フレーム固定部材１７にトリマ駆動桿１５の連絡通路より髭くずが漏れ出すのを防止する駆動桿カバー６２を設けていることを特徴とするものである。このような構成によれば、トリマ駆動桿１５が往復変位しても駆動桿カバー６２によって連絡通路を遮蔽できて髭くずが流出するのを防止できる。
【００１５】
請求項７においては、外刃フレーム固定部材１７の周縁部の高さにおいて、一部の高さを防水板１の高さに略等しく、他の部分の高さを防水板１の高さよりも高くしていることを特徴とするものである。このような構成によれば、外刃フレーム固定部材１７の防水板１よりも高さが高くなっている部分を下にして外刃フレーム固定部材１７より刃ブロックＢを構成している外刃フレーム１６を外すと、髭くずは高さが高くなっている部分及び防水板１上に溜めておくことができ、外刃フレーム１６を外した際に髭くずがこぼれ落ちるのを防止することができる。
【００１６】
請求項８においては、防水板１よりも高くした外刃フレーム固定部材１７の部分に髭くず排出孔２４を形成していることを特徴とするものである。このような構成によれば、高くなっている部分及び防水板１上に堆積した髭くずは、本体Ａを更に傾けることでブラシや流水等により髭くずの排出をおこなうことができる。
【００１７】
【発明の実施の形態】
以下、本発明の実施の形態を説明する。図１は全体断面図である。図２は正面図である。図４は分解斜視図である。
【００１８】
本体Ａを構成する本体ケース２５は上下両端が開口する略筒状となっていて下端開口に下蓋１４が、上端開口に上蓋１３が取付けられ、本体ケース２５の内部にモータ２６及び蓄電池２７を保持する基台１２が配設されている。モータ２６の出力軸に駆動子６、７が連結されて回転運動を往復運動に変換し、駆動子６、７より内刃駆動桿２、３が上蓋１３を貫通して斜めに立設され、内刃駆動桿２、３の先端部にユニット化された刃体（内刃）１８が連結されている。上蓋１３に外刃フレーム固定部材１７を載置し、外刃フレーム固定部材１７の上に防水板１を載置し、防水板１を貫通する上ねじ３４を基台１２にねじ込むことで、外刃フレーム固定部材１７を本体Ａ側に取付けている。外刃フレーム固定部材１７に外刃フレーム１６が操作釦４０の操作によって取外し自在に取付けられ、外刃フレーム１６に外刃ユニット２８が着脱自在に取付けられている。
【００１９】
本体ケース２５の背面には、きわ剃り刃用のトリマ刃１１が略長手方向にスライド自在に装着され、トリマ刃１１を上方向にスライドさせた時に内刃駆動桿３に取付けられたトリマ駆動桿１５とトリマ駆動子２９のボスが嵌合し、トリマ刃１１に駆動力を伝達するようにしている。
【００２０】
本体ケース２５の正面には、長手方向にスライド自在としたスイッチ１０が配設され、スイッチ１０のスライド変位を回転変位に変換するスイッチカム３０が、本体ケース２５の貫通孔３１を通じて本体ケース２５の内部の基台１２に回転自在に取付けられたカムレバー３２に係合することにより、カムレバー３２の回転変位がさらに基台１２にスライド自在に取付けられたスイッチプレート３３をスライドさせることにより接点の開閉をおこなうものである。
【００２１】
刃体（内刃）１８及び外刃ユニット２８等にて構成された刃ブロックＢは本体Ａに対して傾斜している。この場合、刃ブロックＢの刃体（内刃）１８を駆動するモータ２６のモータセンター線ｃが本体センター線ａと刃ブロックセンター線ｂとの中間に位置するようにモータ２６が本体Ａに対して傾斜して組み込まれているのである。
【００２２】
上蓋１３の上方に配設される防水板１に上ねじ３４を貫通して本体ケース２５に配設している基台１２にねじ込むことで防水板１が本体Ａ側に取付けられるのであり、このことによって、内刃駆動桿２、３を緊迫してシールを図っている駆動子防水ゴム３５の外周部３６が防水板１と上蓋１３によって圧縮されて充分な防水を図るものである。又、上蓋１３の下端に備えているゴム質部３７を本体ケース２５の段部３８に圧接して防水を図っている。この場合、上ねじ３４の締結方向と上蓋１３の下端のゴム質部３７と本体ケース２５の段部３８の当接方向とを垂直とすることで、均一な圧着力を確保している。防水板１の上ねじ３４の嵌入部にはゴム質部材３９が形成されており、上ねじ３４との防水をおこなう。上蓋１３には外刃フレーム１６を着脱する操作釦４０を備えているが、外刃フレーム固定部材１７に釦保護カバー６１を設けることによって操作釦４０を保護している。外刃フレーム固定部材１７には、トリマ駆動桿１５のための連絡口６０が設けられ、本体ケース２５の背面よりトリマ駆動桿１５を通して内刃駆動桿３へ連結させた後、駆動桿カバー６２を上方より取付けて連絡口６０を覆っている。
【００２３】
このように複数の刃体１８、１８を備えた刃ブロックＢが本体Ａに対して傾斜し、刃ブロックＢが本体Ａに対して着脱自在になされ、刃ブロックＢの傾斜方向とは反対側にトリマ刃１１を設けた往復式電気かみそりにおいて、本発明においては、本体Ａと刃ブロックＢとの間に配設する防水板１の板面が刃ブロックセンター線ｂとモータセンター線ｃとの各々の垂直線ｄ、ｆの中間に位置するように防水板１が本体Ａに対して傾斜して本体Ａに取付けられているものである。
【００２４】
このように、刃ブロックＢを本体Ａに対して傾斜させても防水板１も傾斜していることから、防水板１を本体センター線ａに垂直にする場合のように、刃ブロックセンター線ｂの両側に並列に立設される二つの内刃駆動桿２、３の各刃体１８、１８の駆動（重心）点４６、４６までの長さが大きく異なることがなく、内刃駆動桿２、３の刃体１８、１８の駆動（重心）点４６、４６までの長さの異なりを低減することができ、両刃体１８、１８の駆動にアンバランスが生じるのを低減できるのである。
【００２５】
又、防水板１の板面が刃ブロックセンター線ｂとモータセンター線ｃとの各々の垂直線ｄ、ｆの中間に位置していて、防水板１が刃ブロックセンター線ｂの垂直線ｄに沿うように大きく傾斜することもなく、その分、内刃駆動桿２、３を曲げなくてもよく、駆動子６、７の構成を簡素化できるのである。又、本体Ａの正面のスイッチ１０の上部に使用時に親指を置く指置きニを形成する場合にも、内刃駆動桿２をモータセンター線ｃより傾斜側に大きくずらす必要がなく、刃体（内刃）１８の駆動点４６とモータ２６による駆動子６の駆動点４８の間で回転力が発生することを軽減でき、内刃駆動性能の低下を低減することができ、振動も抑制できるのである。
【００２６】
ところで、刃ブロックＢの外刃フレーム１６における本体Ａに対する係合端部１６ａの形状は、刃体１８の往復運動方向及び刃体１８、１８の並列方向において同一形状としていることから、外刃フレーム１６の本体Ａに対する向きをなくすことができ、使用者は外刃フレーム１６の向きを気にすることがなく、使いやすくなるものである。
【００２７】
防水板１は本体Ａ側の外刃フレーム固定部材１７よりも内方に配設され、防水板１は外刃フレーム固定部材１７の外刃フレーム１６に対する係合面１７Ｓに対して傾斜し、防水板１が傾斜することにより生じる外刃フレーム固定部材１７の内部スペースにトリマ駆動桿１５を収めている。
【００２８】
このように、防水板１を傾斜させることにより外刃フレーム固定部材１７の内部スペースを有効に利用してトリマ駆動桿１５を収めることができるのであり、防水板１の上方にトリマ駆動桿１５を位置させることで防水構造を簡素化でき、しかも、外刃フレーム１６を本体Ａに対して低い位置に取付けることができ、コンパクト化を図ることができるのである。
【００２９】
外刃フレーム固定部材１７には凹入段部１７ａが形成され、凹入段部１７ａに平面状の防水板１を載置し、本体ケース２５の段部３８に上蓋１３を載置し、防水板１を貫通した上ねじ３４を本体ケース２５の内部に挿入している基台１２にねじ込むことで、外刃フレーム固定部材１７を本体Ａに固定しているものである。このように、平面状の防水板１の固定によって外刃フレーム固定部材１７の固定ができながら、髭くずが上に溜まる防水板１を単純形状にできて洗浄が容易になるのである。
【００３０】
更に、外刃フレーム固定部材１７にはトリマ駆動桿１５の連絡口６０の上方に笠状になる保護カバー部５９を形成してあって、トリマ駆動桿１５をカバーすることによって、使用時にトリマ駆動桿１５に誤って触れるのを防止することができ、安全性を高めている。
【００３１】
しかも、外刃フレーム固定部材１７に外刃フレーム１６の着脱用の操作釦４０を覆う釦保護カバー６１を設けていることから、上蓋１３に設けた操作釦４０を外刃フレーム固定部材１７に設けた釦保護カバー６１によって覆うことができ、操作釦取付部４４への髭くずの侵入を防止することができるのである。
【００３２】
図６に示すように、外刃フレーム固定部材１７の連絡口６０において、略門型の駆動桿カバー６２を付設して、駆動桿カバー６２のカバー片６２ａ、６２ａ及び図７に示すトリマ駆動桿１５に形成している弾性変位片４１、４１とが重なり合うことによって、トリマ駆動桿１５が往復変位しても駆動桿カバー６２によって連絡通路を遮蔽できて髭くずが流出するのを防止できるのである。
【００３３】
ところで、図８に示すように、駆動桿カバー６２が無い状態でも、トリマ駆動桿１５の弾性変位片４１が外刃フレーム固定部材１７の内壁４２に摺接することにより同様に連絡口６０からの髭くずの漏れ出しを防止することができる。この場合、図９に示すように、外刃フレーム固定部材１７に弾性壁片４３を設けてもよい。トリマ駆動桿１５の上方は外刃フレーム固定部材１７において笠状となった保護カバー部５９によって覆うことで、安全性を高めている。
【００３４】
図８及び図１０に示すように、外刃フレーム固定部材１７の周縁部の高さにおいて、一部の高さを防水板１の高さに略等しく、他の部分の高さを防水板１の高さよりも高くしている。このような構成によれば、外刃フレーム固定部材１７の防水板１よりも高さが高くなっている部分を下にして外刃フレーム固定部材１７より刃ブロックＢを構成している外刃フレーム１６を外すと、髭くずは高さが高くなっている部分及び防水板１上に溜めておくことができ、外刃フレーム１６を外した際に髭くずがこぼれ落ちるのを防止することができ、ブラシ６３などで髭くずを前面側に排出することができる。
【００３５】
図１１に示すように、防水板１よりも高くした外刃フレーム固定部材１７の部分に髭くず排出孔２４を形成しているのであり、外刃フレーム固定部材１７の高くなっている部分及び防水板１上に堆積した髭くずは、本体Ａを更に傾けることでブラシ６３や流水等により髭くずの排出をおこなうことができる。
【００３６】
【発明の効果】
請求項１においては、複数の刃体を備えた刃ブロックが本体に対して傾斜し、刃ブロックが本体に対して着脱自在になされ、刃ブロックの傾斜方向とは反対側にトリマ刃を設けた往復式電気かみそりであって、上記傾斜方向に並設された刃体の内刃駆動桿が本体と刃ブロックとの間に配設する防水板を貫通し、防水板の板面が刃ブロックセンター線とモータセンター線との各々の垂直線の中間に位置するように防水板が本体に対して傾斜して本体に取付けられ、防水板は本体側の外刃フレーム固定部材よりも内方に配設され、防水板は外刃フレーム固定部材の外刃フレームに対する係合面に対して傾斜し、防水板が傾斜することにより生じる外刃フレーム固定部材の内部スペースにトリマ駆動桿を収めているから、防水板を本体センター線に垂直にする場合に比べて内刃駆動桿と防水板との交叉角度を緩やかにでき、防水板との干渉を回避するために内刃駆動桿を切欠くことを低減でき、刃ブロックセンター線の両側に並列に立設される二つの内刃駆動桿による両刃体の駆動に大きなアンバランスが生じるのを低減でき、又、刃ブロックセンター線とモータセンター線との各々の垂直線の中間に位置するように傾斜している防水板は外刃フレーム固定部材よりも内方に配設され、防水板は外刃フレーム固定部材の外刃フレームに対する係合面に対して傾斜し、防水板が傾斜することにより生じる外刃フレーム固定部材の内部スペースにトリマ駆動桿を収めているから、防水板を傾斜させることにより外刃フレーム固定部材の内部スペースを有効に利用してトリマ駆動桿を収めることができ、防水板の上方にトリマ駆動桿を位置させることで防水構造を簡素化でき、しかも、外刃フレームを本体に対して低い位置に取付けることができ、コンパクト化を図ることができる。
【００３７】
請求項２においては、請求項１の効果に加えて、刃ブロックの外刃フレームにおける本体に対する係合端部の形状は、刃体の往復運動方向及び刃体の並列方向において同一形状としているから、外刃フレームの本体に対する向きをなくすことができ、使用者は外刃フレームの向きを気にすることがなく、使いやすいという利点がある。
【００３８】
請求項３においては、請求項１又は２の効果に加えて、平面状の防水板の本体への固定によって外刃フレーム固定部材を本体に固定しているから、防水板の固定によって外刃フレーム固定部材の固定ができながら、髭くずが上に溜まる防水板を単純形状にできて洗浄が容易になるという利点がある。
【００３９】
請求項４においては、請求項１の効果に加えて、外刃フレーム固定部材にトリマ駆動桿をカバーする保護カバー部を設けているから、使用時にトリマ駆動桿に誤って触れるのを防止することができ、安全性を高めることができるという利点がある。
【００４０】
請求項５においては、請求項１の効果に加えて、外刃フレーム固定部材に外刃フレームの着脱用の操作釦を覆う釦保護カバーを設けているから、上蓋に設けた操作釦を外刃フレーム固定部材に設けた釦保護カバーによって覆うことができ、操作釦取付部への髭くずの侵入を防止することができるという利点がある。
【００４１】
請求項６においては、請求項１又は４の効果に加えて、外刃フレーム固定部材にトリマ駆動桿の連絡通路より髭くずが漏れ出すのを防止する駆動桿カバーを設けているから、トリマ駆動桿が往復変位しても駆動桿カバーによって連絡通路を遮蔽できて髭くずが流出するのを防止できるという利点がある。
【００４２】
請求項７においては、請求項１の効果に加えて、外刃フレーム固定部材の周縁部の高さにおいて、一部の高さを防水板の高さに略等しく、他の部分の高さを防水板の高さよりも高くしているから、外刃フレーム固定部材の防水板よりも高さが高くなっている部分を下にして外刃フレーム固定部材より刃ブロックを構成している外刃フレームを外すと、髭くずは高さが高くなっている部分及び防水板上に溜めておくことができ、外刃フレームを外した際に髭くずがこぼれ落ちるのを防止することができるという利点がある。
【００４３】
請求項８においては、請求項７の効果に加えて、防水板よりも高くした外刃フレーム固定部材の部分に髭くず排出孔を形成しているから、高くなっている部分及び防水板上に堆積した髭くずは、本体を更に傾けることでブラシや流水等により髭くずの排出をおこなうことができるという利点がある。
【図面の簡単な説明】
【図１】  本発明の実施の一形態の全体断面図である。
【図２】  同上の正面図である。
【図３】  同上の背面図である。
【図４】  同上の分解斜視図である。
【図５】  同上の部分斜視図である。
【図６】  同上の部分断面図である。
【図７】  同上のトリマ駆動桿の斜視図である。
【図８】  同上の駆動桿カバーを取付ける前の部分斜視図である。
【図９】  同上の他の実施の形態の部分斜視図である。
【図１０】  本発明の作用を示す部分斜視図である。
【図１１】  同上の作用を示す部分斜視図である。
【図１２】  従来例の断面図である。
【図１３】  同上の一部破断した正面図である。
【図１４】  同上の他の従来例の断面図である。
【図１５】  同上の正面図である。
【図１６】  同上の更に他の従来例の断面図である。
【図１７】  同上の正面図である。
【図１８】  同上の更に他の従来例の部分断面図である。
【図１９】  同上の更に他の従来例の断面図である。
【図２０】  同上の更に他の従来例の一部破断した正面図である。
【図２１】  同上の更に他の従来例の一部破断した正面図である。
【符号の説明】
２ 内刃駆動桿
３ 内刃駆動桿
１１    トリマ刃
１５ トリマ駆動桿
１６ 外刃フレーム
１７ 外刃フレーム固定部材
１７Ｓ 係合面
１８    刃体
Ａ      本体
Ｂ      刃ブロック
ｂ      刃ブロックセンター
ｃ      モータセンター線
ｄ      垂直線
ｆ      垂直線
【図１】
0004025518.tif 000002
【図２】
0004025518.tif 000003
【図３】
0004025518.tif 000004
【図４】
0004025518.tif 000005
【図５】
0004025518.tif 000006
【図６】
0004025518.tif 000007
【図７】
0004025518.tif 000008
【図８】
0004025518.tif 000009
【図９】
0004025518.tif 000010
【図１０】
0004025518.tif 000011
【図１１】
0004025518.tif 000012
【図１２】
0004025518.tif 000013
【図１３】
0004025518.tif 000014
【図１４】
0004025518.tif 000015
【図１５】
0004025518.tif 000016
【図１６】
0004025518.tif 000017
【図１７】
0004025518.tif 000018
【図１８】
0004025518.tif 000019
【図１９】
0004025518.tif 000020
【図２０】
0004025518.tif 000021
【図２１】
0004025518.tif 000022